(57)【要約】【課題】  利便性を向上できる情報通信システムを提供する。【解決手段】  相互に無線通信可能な第１、第２の情報通信機器２，１を含む無線ネットワークシステムであって、第１の情報通信機器２は、所定の記録媒体に無線通信に関する条件情報を書き込み、第２の情報通信機器１は、当該記録媒体に書き込まれた条件情報を読み出して、当該読み出した条件情報を用いて第１の情報通信機器２との間での無線通信を行う。【選択図】        図１
2005218035.tif 000002
【特許請求の範囲】
【請求項１】
相互に無線通信可能な第１、第２の情報通信機器を含む無線ネットワークシステムであって、
前記第１の情報通信機器は、所定の記録媒体に無線通信に関する条件情報を書き込み、
前記第２の情報通信機器は、前記所定の記録媒体に書き込まれた条件情報を読み出して、当該読み出した条件情報を用いて前記第１の情報通信機器との間での無線通信を行う、
ことを特徴とする無線ネットワークシステム。
【請求項２】
他の情報通信機器との間で、予め定められた条件に従って無線通信を行う手段と、
所定の記録媒体に対して、前記無線通信に係る条件の情報を書き込む書込手段と、
を有することを特徴とする情報通信機器。
【請求項３】
請求項２に記載の情報通信機器であって、
前記書込手段は、さらに、所定の付加的情報を前記記録媒体に対して書き込むことを特徴とする情報通信機器。
【請求項４】
所定の記録媒体を受け入れて、当該記録媒体に書き込まれている、無線通信に係る条件の情報を読み出す読出手段と、
前記読み出した条件に従って無線通信を行う通信手段と、
を有することを特徴とする情報通信機器。
【請求項５】
請求項４に記載の情報通信機器であって、
無線通信に係る条件の情報を記憶する記憶手段と、
前記読出手段が前記所定の記録媒体から前記条件の情報を読出したときに、前記記憶手段に格納されている条件の情報を退避して記録し、前記読出手段によって読出された条件の情報を前記記憶手段に格納する制御手段と、をさらに含み、
前記通信手段は、前記記憶手段に格納された条件に従って無線通信を行うことを特徴とする情報通信機器。
【請求項６】
請求項５に記載の情報通信機器であって、
前記制御手段は、前記読出手段に前記記録媒体が受け入れられているか否かを監視し、記録媒体が受け入れられていない状態となったときに、前記退避した条件の情報を、前記記憶手段に格納し、
前記通信手段は、当該退避されていた条件に従って無線通信を行うことを特徴とする情報通信機器。
【請求項７】
情報通信機器に対し、他の情報通信機器との間で予め定められた条件に従って無線通信を行うために、所定の記録媒体に対して、前記無線通信に係る条件の情報を書き込ませることを特徴とする情報通信機器の制御方法。
【請求項８】
所定の記録媒体に書き込まれている、無線通信に係る条件の情報を読み出させ、前記読み出した条件に従って無線通信を行わせることを特徴とする情報通信機器の制御方法。
【請求項９】
コンピュータに、
他の情報通信機器との間で予め定められた条件に従って無線通信を行う手順と、
所定の記録媒体に対して、前記無線通信に係る条件の情報を書き込む手順と、
を実行させることを特徴とするプログラム。
【請求項１０】
コンピュータに、
所定の記録媒体に書き込まれている、無線通信に係る条件の情報を読み出す手順と、
前記読み出した条件に従って無線通信を行う手順と、
を実行させることを特徴とするプログラム。
【発明の詳細な説明】
【技術分野】
【０００１】
本発明は、無線回線を介して情報を送受する情報通信機器を含む無線ネットワークシステムに関する。
【背景技術】
【０００２】
近年、ネットワークを利用した情報の送受信が普及している。また、パーソナルコンピュータの小型化に伴い、外出先でノート型のパーソナルコンピュータ等を用いて無線にてネットワークに接続可能としているケースもある。
【０００３】
こうした無線通信の一つとして、既存のネットワーク技術を利用しながら、その通信の物理的媒体を無線とする、いわゆる無線ＬＡＮ技術がある。具体的に、この無線ＬＡＮとしては、ＩＥＥＥ８０２．１１ｂ等の規格が策定されており、最近ではその高速化が図られているところである。
【０００４】
なお、ＰＨＳ電話機間相互での無線回線の接続のための識別情報をメモリカードより入手し、以降のＰＨＳ電話機間相互接続時の識別情報に使用するという技術が特許文献１に開示されている。
【特許文献１】特開平９−８４１３７号公報
【発明の開示】
【発明が解決しようとする課題】
【０００５】
しかしながら、上記従来の無線ＬＡＮによる通信では、例えばアドホックモードやインフラストラクチャモードなど複数の通信形態や、通信チャネル、識別子（ＳＳＩＤ）、暗号化設定（ＷＥＰ）など、多くの通信条件に関する情報を設定しなければならない。
【０００６】
また、特定の通信先に対して情報を送信したい場合に、当該通信先を識別する方法が限られているため、アドレス情報などの設定も別途必要になる。
【０００７】
このように、上記従来の無線ＬＡＮによる通信では、通信の条件に関する設定が煩雑で、利便性が低いという問題点があった。
【０００８】
本発明は上記実情に鑑みて為されたもので、利便性を向上できる情報通信システムを提供することを、その目的の一つとする。
【課題を解決するための手段】
【０００９】
上記従来例の問題点を解決するための本発明は、相互に無線通信可能な第１、第２の情報通信機器を含む無線ネットワークシステムであって、前記第１の情報通信機器は、所定の記録媒体に無線通信に関する条件情報を書き込み、前記第２の情報通信機器は、前記所定の記録媒体に書き込まれた条件情報を読み出して、当該読み出した条件情報を用いて前記第１の情報通信機器との間での無線通信を行う、ことを特徴としている。
【００１０】
また、上記従来例の問題点を解決するための本発明は、情報通信機器であって、他の情報通信機器との間で、予め定められた条件に従って無線通信を行う手段と、所定の記録媒体に対して、前記無線通信に係る条件の情報を書き込む書込手段と、を有することを特徴としている。ここで前記書込手段は、さらに、所定の付加的情報を前記記録媒体に対して書き込むこととしてもよい。
【００１１】
また、上記従来例の問題点を解決するための本発明は、情報通信機器であって、所定の記録媒体を受け入れて、当該記録媒体に書き込まれている、無線通信に係る条件の情報を読み出す読出手段と、前記読み出した条件に従って無線通信を行う通信手段と、を有することを特徴としている。
【００１２】
ここでさらに、無線通信に係る条件の情報を記憶する記憶手段と、前記読出手段が前記所定の記録媒体から前記条件の情報を読出したときに、前記記憶手段に格納されている条件の情報を退避して記録し、前記読出手段によって読出された条件の情報を前記記憶手段に格納する制御手段と、をさらに含み、前記通信手段は、前記記憶手段に格納された条件に従って無線通信を行うこととしてもよい。
【００１３】
また、前記制御手段は、前記読出手段に前記記録媒体が受け入れられているか否かを監視し、記録媒体が受け入れられていない状態となったときに、前記退避した条件の情報を、前記記憶手段に格納し、前記通信手段は、当該退避されていた条件に従って無線通信を行うこととしてもよい。
【００１４】
また、上記従来例の問題点を解決するための本発明は、情報通信機器の制御方法であって、情報通信機器に対し、他の情報通信機器との間で予め定められた条件に従って無線通信を行うために、所定の記録媒体に対して、前記無線通信に係る条件の情報を書き込ませることを特徴としている。
【００１５】
さらに、上記従来例の問題点を解決するための本発明は、無線通信機器の制御方法であって、所定の記録媒体に書き込まれている、無線通信に係る条件の情報を読み出させ、前記読み出した条件に従って無線通信を行わせることを特徴としている。
【００１６】
また、本発明の一態様に係るプログラムは、コンピュータに、他の情報通信機器との間で予め定められた条件に従って無線通信を行う手順と、所定の記録媒体に対して、前記無線通信に係る条件の情報を書き込む手順と、を実行させることを特徴としている。
【００１７】
さらに本発明の別の態様に係るプログラムは、コンピュータに、所定の記録媒体に書き込まれている、無線通信に係る条件の情報を読み出す手順と、前記読み出した条件に従って無線通信を行う手順と、を実行させることを特徴としている。
【発明を実施するための最良の形態】
【００１８】
本発明の実施の形態について図面を参照しながら説明する。本実施の形態に係る無線ネットワークシステムは、図１に示すように、情報通信機器としてのパーソナルコンピュータ（以下、ＰＣと呼ぶ）１及びプリンタ装置２を含んで構成されている。これらの情報通信機器は具体的には図２に示すように、制御部１１と、記憶部１２と、無線ＬＡＮインタフェース１３と、メモリカードリーダライタ１４と、操作部１５と、表示部１６とを含んで構成されている。
【００１９】
制御部１１は、記憶部１２に格納されているプログラムに従って動作しており、メモリカードを介して無線通信に係る条件の情報（以下、無線設定情報と呼ぶ）を提供する側の処理と、メモリカードを介して無線設定情報を受け入れる側の処理と、の少なくとも一方を実行している。これらの処理の具体的内容については後に詳しく述べる。ここで無線設定情報には、通信モード（アドホック／インフラストラクチャの別）や通信チャネル、識別子（ＳＳＩＤ）、暗号化設定（ＷＥＰ）などが含まれる。
【００２０】
記憶部１２はハードディスクやメモリ等であり、制御部１１によって実行されるプログラムを格納するコンピュータ可読な記録媒体である。また、この記憶部１２は、制御部１１のワークメモリとしても動作しており、また、無線設定情報を格納する領域（以下、設定情報格納領域と呼ぶ）を含む。
【００２１】
無線ＬＡＮインタフェース１３は、制御部１１から入力される指示に従い、無線設定情報に示される設定内容に応じてデータを送出し、またデータを受信する処理を行っている。この無線ＬＡＮインタフェース１３は、受信したデータを制御部１１に出力する。メモリカードリーダライタ１４は、制御部１１から入力される指示に従って、例えばメモリスティックやＳＤカードなどの半導体メモリデバイス（メモリカード）に対して情報を書込み、又は当該メモリカードから情報を読み出して制御部１１に出力する。なお以下の説明では、このメモリカードが本発明の記憶媒体に相当するものとして説明するが、記憶媒体は情報をディスク上に固定するＦＤや、ＭＯ（光磁気ディスク）などであってもよい。また、例えばFeliCaなどの非接触型のカードであっても構わない。
【００２２】
操作部１５は、例えばキーボードやマウス（ＰＣ１等の場合）、操作ボタン（プリンタ装置２等の場合）であり、表示部１６は、液晶ディスプレイなどである。操作部１５は、利用者が行った操作の内容を制御部１１に伝達する。表示部１６は、制御部１１から入力される指示に従って情報を利用者に提示する。
【００２３】
ここで制御部１１による無線設定情報を提供する側の処理と、無線設定情報を受け入れる側の処理とについて説明する。まず、無線設定情報を提供する側の処理について説明する。この無線設定情報を提供する側の処理を行う制御部１１を含んだ装置が本発明の第１の情報通信機器に相当する。
【００２４】
制御部１１は、操作部１５から、無線設定情報を書き出すべき旨の操作が行われたときに、現在記憶部１２の設定情報格納領域に格納されている無線設定情報をメモリカードリーダライタ１４に挿入されているメモリカードに対して書込む。
【００２５】
また制御部１１は、このとき付加的な情報を併せてメモリカードに書込んでもよい。ここで付加的な情報とは、例えばプリンタ装置２であれば、当該プリンタ装置２に適合したプリンタドライバソフトウエアや、取扱説明書のドキュメントなどである。
【００２６】
さらに制御部１１は、無線設定情報とともに、ネットワークに関係する情報をメモリカードに書込んで、提供することとしてもよい。具体的にネットワークに関係する情報としては、無線ＬＡＮインタフェース１３に設定されている自己のＩＰアドレスやサブネットマスクの情報などがある。また、一般にネットワークを介して通信を行う場合、例えばＴＣＰ／ＩＰを用いた通信を行う場合などにおいては、プロトコルに対応したアドレス情報を設定する必要があるので、無線設定情報の提供先に対して、当該提供先となった情報通信機器で利用するべきアドレス情報を発行して提供することとしてもよい。
【００２７】
例えば、制御部１１はＤＨＣＰ（Dynamic Host Cofiguration Protocol）サーバが行うのと同様の方法によってＩＰアドレスを発行してもよいし、次のようにしてＩＰアドレスの発行処理を行ってもよい。すなわち、制御部１１は、自己の無線ＬＡＮインタフェース１３に設定されているＩＰアドレスとサブネットマスクとを取得し、当該ＩＰアドレスを構成するビット列のうち、ネットワーク部分のビット列と、サブネットを表すビット列部分とを取り出す。そして、サブネットを表すビット列部分の値をインクリメント（又はデクリメント）して、上記ネットワーク部分のビット列に合成して新たなＩＰアドレスを発行する。
【００２８】
なお、制御部１１はこの新たに発行したＩＰアドレスが既に他の装置に割当てられたものでないことを確認する処理を行う。この処理は例えば過去に発行したＩＰアドレスのリストを記憶部１２に格納しておき、過去に発行したＩＰアドレスと同じＩＰアドレスである場合は、さらに、サブネットを表すビット列部分の値をインクリメントする処理から繰返して実行して別の新たなＩＰアドレスを発行させて、過去に発行したものとは異なるＩＰアドレスが発行されるまで処理を繰返すこととしてもよい。ここで過去に発行したものとは異なるＩＰアドレスが発行されたときには、その新たなＩＰアドレスをメモリカードに書込む。
【００２９】
また、新たに発行したＩＰアドレスに対してピン（PING）パケットを送出し、それに対する応答の有無を調べ、応答がある場合（新たなＩＰアドレスが既に他の装置に割当てられていた場合）には、さらに、サブネットを表すビット列部分の値をインクリメントする処理から繰返して実行するようにしてもよい。この場合、ピンパケットに対する応答がない場合に、当該ピンパケットの送出先となった新たなＩＰアドレスをメモリカードに書込むことになる。
【００３０】
次に、制御部１１による無線設定情報を受け入れる側の処理について説明する。この処理を行う制御部１１を含んだ装置が本発明の第２の情報通信機器に相当する。
【００３１】
無線設定情報を受け入れる場合、制御部１１は、メモリカードリーダライタ１４に挿入されたメモリカードから無線設定情報を読み出して、記憶部１２の設定情報格納領域に格納する。そして制御部１１は、当該記憶部１２に格納した条件に従って無線通信を行う。
【００３２】
また制御部１１は、メモリカードから読出した無線設定情報を格納する前に、記憶部１２の設定情報格納領域に格納されていた無線設定情報（変更前情報）を記憶部１２の別の領域に退避して格納しておき、後の所定のタイミングでこれを設定情報格納領域に書き戻すこととしてもよい。
【００３３】
例えば、制御部１１は、メモリカードリーダライタ１４に挿入されたメモリカードから無線設定情報を読み出したときに、記憶部１２の設定情報格納領域に格納されている変更前情報を記憶部１２の別の領域（退避領域）に写して格納する。そしてその後に、メモリカードから読出した情報を設定情報格納領域に格納する。この場合において制御部１１はさらに、メモリカードリーダライタ１４からメモリカードが取り出され、アクセスができなくなったことを検出すると、退避領域に格納した変更前情報を設定情報格納領域に書き戻す。
【００３４】
なお、メモリカードが取り出されたか否かは、当該メモリカードへのアクセスができなくなったことを検出する方法のほか、電源ピンの接続状態の変化などを監視する方法などもある。
【００３５】
さらに制御部１１は、ネットワークに関係する情報がメモリカードに格納されているときには、当該ネットワークに関係する情報に基づいて各部の設定を行ってもよい。例えば、ネットワークに関係する情報として、ＩＰアドレスとサブネットマスクとが格納されているときには、これらを読出して無線ＬＡＮインタフェース１３に当該ＩＰアドレスとサブネットマスクとを設定する。そして無線ＬＡＮインタフェース１３は、新たに設定されたＩＰアドレスとサブネットマスクとに基づく通信を開始することとなる。
【００３６】
この場合も制御部１１は、メモリカードから読出した当該ＩＰアドレスとサブネットマスクとを無線ＬＡＮインタフェース１３に設定する前に、それまでに無線ＬＡＮインタフェース１３に設定されていたＩＰアドレスやサブネットマスクを退避しておき、メモリカードリーダライタ１４からメモリカードが取り出されたときに、退避しておいたＩＰアドレスやサブネットマスクを無線ＬＡＮインタフェース１３に設定し戻すこととしてもよい。
【００３７】
次に、本実施の形態の無線ネットワークシステムの動作について説明する。なお、以下では説明のため、プリンタ装置２が設置されている場所の近傍に、ＰＣ１を所持した利用者が来訪し、ＰＣ１内のドキュメントをプリンタ装置２によって印刷させる場合の動作について図３を参照しながら説明する。また、ＰＣ１とプリンタ装置２とは、アクセスポイントを介さずに直接、いわゆるアドホックモードで相互通信を行うものとする。なお、以下では区別のため、ＰＣ１側の各部の符号にａを付して、制御部１１ａ…と呼ぶこととし、プリンタ装置２側の各部の符号にはｂを付して、制御部１１ｂ…と呼ぶこととする。
【００３８】
利用者が、プリンタ装置２側に接続されたメモリカードリーダライタ１４ｂにメモリカードを挿入し、利用者がプリンタ装置２の操作部１５ｂを操作して、無線設定情報を書込むべき旨の指示を入力すると（指示受け入れ；Ｓ１）、プリンタ装置２は、無線設定情報をメモリカードに書込む（Ｓ２）。この場合、プリンタ装置２は、通信モードがアドホックモードである旨の情報を含む無線設定情報を書込むことになる。
【００３９】
またプリンタ装置２は、自己に設定されているＩＰアドレスをメモリカードに書込み、さらにＰＣ１側に設定するべきＩＰアドレスを発行して（Ｓ３）、当該発行したＩＰアドレスとサブネットマスクの情報とをネットワーク関係情報としてメモリカードに書込む（Ｓ４）。プリンタ装置２は、書込みが完了したことを表示部１６ｂに表示するなどして利用者に報知する（Ｓ５）。
【００４０】
ここで発行されるＩＰアドレスは、例えばプリンタ装置２の無線ＬＡＮインタフェース１３ｂに設定されているＩＰアドレスが192.168.0.100であり、サブネットマスクが255.255.255.0である場合、次のようになる。この例ではサブネット部分は、上記ＩＰアドレスのうち最後のオクテット部分（「100」の部分）である。そこでプリンタ装置２は、この部分をインクリメントして「101」とし、ネットワークアドレス部分（「192.168.0」）と合成して新たなＩＰアドレス192.168.0.101を生成する。そしてプリンタ装置２は、この新たなＩＰアドレスに対してピンパケットを送信して、それに対する応答がない場合に、このＩＰアドレスをメモリカードに書込む。なお、ここではサブネット部分をインクリメント又はデクリメントとして新たなＩＰアドレスを生成しているが、当該サブネット部分をランダムに生成してもよい。
【００４１】
利用者は、メモリカードへの書込みが完了したことを表す報知を受けてメモリカードを取り出し、ＰＣ１に接続されているメモリカードリーダライタ１４ａに当該メモリカードを挿入する。するとＰＣ１の制御部１１ａが、記憶部１２ａに格納されている現在の無線設定情報や、無線ＬＡＮインタフェース１３ａに設定されているＩＰアドレス等を退避し（Ｓ６）、メモリカードに格納されているＩＰアドレス等や無線設定情報を読み出して、当該読出した無線設定情報を記憶部１２ａの設定情報格納領域に格納する。さらにＰＣ１は、読出したＩＰアドレス等を無線ＬＡＮインタフェース１３ａに設定する。このようにして、受け入れたメモリカード内の無線設定情報やＩＰアドレス等の情報を各部に設定し、制御部１１は以下、これらのネットワーク設定や無線設定情報に基づく通信を開始する（Ｓ８）。
【００４２】
具体的にここではプリンタ装置２がアドホックモードである旨の情報等を含む無線設定情報を書込んでいるので、ＰＣ１側の制御部１１ａは、アドホックモードでの通信を行うことになる。また、通信チャネルやＳＳＩＤ、ＷＥＰの設定など、さらにはネットワークアドレスであるＩＰアドレスについても同様に受渡されて設定されるので、ＰＣ１とプリンタ装置２との間での通信が可能な状態となる。
【００４３】
この状態でＰＣ１の制御部１１ａが、利用者からプリンタ装置２を用いてドキュメントを印刷するべき旨の指示を受けると、メモリカードからプリンタ装置２のＩＰアドレスを読出し、当該プリンタ装置２のＩＰアドレス宛に印刷対象となっているドキュメントの印刷データを無線ＬＡＮインタフェース１３ａを介して送出する。プリンタ装置２側の無線ＬＡＮインタフェース１３ｂは、このドキュメントの印刷データを受信して、制御部１１ｂに出力し、制御部１１ｂが予め定められた印刷処理に従ってプリンタ部（不図示）に対してドキュメントを印刷するべき指示を出力することになる。
【００４４】
やがて利用者がメモリカードリーダライタ１４ａからメモリカードを取り出すと、制御部１１ａがアクセスができなくなったことを検出し、退避領域に格納した元の無線設定情報、並びにＩＰアドレス等の情報をそれぞれ記憶部１２ａの設定情報格納領域や無線ＬＡＮインタフェース１３ａに書き戻して設定し直す。
【００４５】
また、ここまでの説明では、プリンタ装置２側から提供される情報は、無線ネットワークを介した通信を確立するために必要な情報であるとしていたが、プリンタ装置２はこうした情報に加えて、当該プリンタ装置２に適合したプリンタドライバソフトウエアや、取扱説明書のドキュメントなどを付加的情報としてメモリカードに書込むこととしてもよい。
【００４６】
ＰＣ１側では、これらの付加的情報を読み出して、例えばプリンタドライバのインストール等を実行する。この場合に当該プリンタ装置２など、移動先の無線ネットワークで一時的に利用する情報であれば、メモリカードが取外されたことを検出したときに、当該情報をＰＣ１内の記憶部１２から除去する処理を行ってもよい。この場合、例えばプリンタドライバをアンインストールする処理等を行うことになる。
【００４７】
さらに付加的情報として、プリンタ装置２などが備えている機能の情報などを付加的情報として提供してもよい。具体的にプリンタ装置２の場合、両面印刷の可否、面付け印刷の可否、拡大・縮小などのサービス機能の有無などの情報を提供してもよい。この情報は、例えばＰＣ１側で参照可能な状態（例えばＰＤＦ（Portable Document Format）などのファイル）で提供され、利用者は、この情報を参照して当該プリンタ装置２が、所望の性能を有しているか否かを調べることができる。なお、プリンタドライバの提供は、例えばプリンタ装置２側からダウンロード提供することとしてもよい。具体的にはプリンタ装置２がウエブサーバとして動作し、ＰＣ１側から当該ウエブサーバに対してアクセスしてプリンタドライバをダウンロードするようにしてもよい。
【００４８】
さらにここまでの説明において、メモリカードが取り出されたときに、ＰＣ１の制御部１１ａが、無線設定情報やＩＰアドレス、プリンタドライバ等の設定状態をメモリカード挿入前の状態に戻すとして説明したが、利用者の指示等に応じて、設定状態を元へ戻さないように制御してもよい。この場合、変更前の情報を退避しておく必要はなくなる。
【００４９】
またプリンタ装置２など、無線設定情報の提供側において無線設定情報をメモリカードに格納する場合に、利用者から当該無線設定情報の受け入れ側のＰＣ１の機種やＯＳ（Operating System）等を特定する情報の入力を受け、当該情報に基づいて無線設定情報のフォーマットや内容、格納先のファイル名などを変更してもよい。
【００５０】
また上述の説明では無線設定情報の提供側でＩＰアドレスを発行していたが、これに代えて、サブネットマスクの情報とネットワークアドレス部分の情報とをメモリカードに書込み、ＰＣ１側でＩＰアドレスを発行してもよい。この場合のＩＰアドレスの発行処理は、サブネットマスクの情報からサブネットのビット数を調べ、当該ビット数のランダムな数値を生成し、メモリカード内のネットワークアドレス部分に合成してＩＰアドレスを発行すればよい。この場合もピンパケットなどの送出により、競合するアドレスが他の装置に設定されていないことを確認する。
【００５１】
さらに、ここではプリンタ装置２など、固定設置されている装置側からＰＣ１等、利用者が運搬する移動可能な装置に対して無線設定情報等を提供する例について説明したが、逆に利用者が運搬する装置から固定設置されている装置に対して無線設定情報を提供するようにしてもよい。この場合、固定設置されている装置側のＩＰアドレスをも提供する場合は、予め提供側の装置のＩＰアドレスとサブネットマスクとに基づいて、通信可能なＩＰアドレスを予測し、この予測ＩＰアドレスとサブネットマスクとを提供する。
【００５２】
固定設置されている装置側では、提供されたＩＰアドレス等が実際に利用可能なアドレスであるか否かを調べ、利用可能なアドレスであれば、当該ＩＰアドレス等を無線ＬＡＮインタフェース１３に設定し、利用可能なアドレスでなければ、当該提供されたＩＰアドレスとネットワークアドレス部分を共通にするＩＰアドレスであって利用可能なものを選択して無線ＬＡＮインタフェース１３に設定し、通信を開始する。
【００５３】
なおプリンタ装置２の制御部１１ｂは、メモリカードリーダライタ１４ｂに挿入されたメモリカードに印刷対象となるドキュメントのデータが格納されている場合は、利用者からの指示操作に応じて、当該データに基づいて印刷処理を行うこととしてもよい。
【００５４】
また、本発明の情報通信機器は、パーソナルコンピュータやプリンタに限られない。例えばＰＣ１の代りにＰＤＡ（Personal Digital Assistants）等の携帯端末であっても構わないし、プリンタ装置２の代りに、スキャナ等の入出力デバイスであっても構わない。
【図面の簡単な説明】
【００５５】
【図１】本発明の実施の形態に係る無線ネットワークシステムの構成ブロック図である。
【図２】本発明の実施の形態に係る無線ネットワークシステムを構成する情報通信機器の一例を表す構成ブロック図である。
【図３】本発明の実施の形態に係る無線ネットワークシステムでの通信例を表す流れ図である。
【符号の説明】
【００５６】
１  パーソナルコンピュータ、２  プリンタ装置、１１  制御部、１２  記憶部、１３  無線ＬＡＮインタフェース、１４  メモリカードリーダライタ、１５  操作部、１６  表示部。
【図１】
2005218035.tif 000003
【図２】
2005218035.tif 000004
【図３】
2005218035.tif 000005